(57)【特許請求の範囲】
【請求項１】
耕耘爪の後方を覆うリヤカバーの下端部に整地体を着脱自在、並びに姿勢切換え自在に取付けるロータリ耕耘装置において、整地体の左右の上部に係合部を設けると共に、前記リヤカバーの左右の下端部に設けられた一対のブラケットのそれぞれについて、左右の側板に第１の係止部と第２の係止部が設けられ、前記整地体をリヤカバーの下端部に標準姿勢又は浅耕姿勢に取付けることができるように構成するロータリ耕耘装置。
【請求項２】
前記ロータリ耕耘装置をサイドドライブ式となすと共に、前記整地体の係合部をリヤカバーの第１の係止部に装着して、前記整地体を標準姿勢に取付けた際に、整地体のチェーンケース側の端部はリヤカバーの同側の端部より外側に位置して、チェーンケースが土中に入って生ずる溝を埋め戻すように構成する請求項１に記載のロータリ耕耘装置。
【請求項３】
前記整地体の係合部をリヤカバーの第２の係止部に装着して、前記整地体を浅耕姿勢に取付けた際に、整地体の左右方向の両端部はリヤカバーの左右方向の両端部より略均等に外側に張り出すように構成する請求項２に記載のロータリ耕耘装置。
【発明の詳細な説明】
【技術分野】
【０００１】
本発明は、圃場の耕耘を行うロータリ耕耘装置に関するものである。
【背景技術】
【０００２】
トラクタに連結されて圃場の耕耘を行うロータリ耕耘装置は、代掻き作業のように表層を浅く耕耘する場合には、トラクタに対して全体が上昇されて耕耘爪が圃場に浅く打ち込まれる。そして、この浅耕時には耕耘爪の後方側を覆って耕耘土の均平・整地作用を行うリヤカバーの回動支点も上昇するから、結果としてリヤカバーは下方に垂れ下がって起立姿勢となり、リヤカバーの下端は最悪の場合、耕耘土に接地しないか、又は接地しても接地面積が少なくなって、耕耘土の均平・整地性が悪化するという問題がある。
そこで、リヤカバーの下端部に整地体を着脱自在、並びに姿勢切換え自在に取付け、リヤカバーによる均平・整地作用を整地体によって補うこと、即ち、標準的な深さの耕耘作業では整地体を接地面に略平行となる標準姿勢として接地面積を増大させる一方、代掻き又は浅耕作業を行う場合は整地体を起立させた浅耕姿勢として整地体を確実に接地させて均平・整地作用を行うようにすることが知られている（例えば、特許文献１参照）。
【先行技術文献】
【特許文献】
【０００３】
【特許文献１】特許第４１８５０３１号公報
【発明の概要】
【発明が解決しようとする課題】
【０００４】
しかし、従来のロータリ耕耘装置においては、リヤカバーの下端部に整地体を標準姿勢と浅耕姿勢に切換え自在に取付ける場合に、リヤカバー側に設けられた第１の係止部の後側に第２の係止部を近接して設けているため、整地体側に設けられた係合部を第１又は第２の係止部に係合させる際に、他の係止部に係合部が干渉してしまい整地体の姿勢切換え作業、或いはその着脱作業に手間取るという問題があった。
また、整地体の左右両側には左右方向外方に突出する延長姿勢と、整地体の上方側に位置する不使用姿勢に姿勢変更自在な延長整地部が設けられていたが、このように整地体に延長整地部を姿勢変更自在に設けると整地体のコストが高くつくと共に、延長整地部の姿勢切換えをその都度、行う必要があって煩わしいという問題があった。
そこで、本発明は、係る問題点に鑑みて、整地体をリヤカバーの下端部に姿勢切換え自在に取付ける際に、係合部が他の係止部に干渉されることなく迅速に整地体の姿勢切換えを行うことができるように、また、整地体に格別、延長整地部を設けなくとも、耕耘土の均平・整地作用を十分に行うことができる、ロータリ耕耘装置を提供することを目的とする。
【課題を解決するための手段】
【０００５】
上記課題を解決するための本発明の技術的手段は、耕耘爪の後方を覆うリヤカバーの下端部に整地体を着脱自在、並びに姿勢切換え自在に取付けるロータリ耕耘装置において、整地体の左右の上部に係合部を設けると共に、前記リヤカバーの左右の下端部に設けられた一対のブラケットのそれぞれについて、左右の側板に第１の係止部と第２の係止部が設けられ、前記整地体をリヤカバーの下端部に標準姿勢又は浅耕姿勢に取付けることができるように構成することを特徴とする。
また、前記ロータリ耕耘装置をサイドドライブ式となすと共に、前記整地体の係合部をリヤカバーの第１の係止部に装着して、前記整地体を標準姿勢に取付けた際に、整地体のチェーンケース側の端部はリヤカバーの同側の端部より外側に位置して、チェーンケースが土中に入って生ずる溝を埋め戻すように構成することを特徴とする。
さらに、前記整地体の係合部をリヤカバーの第２の係止部に装着して、前記整地体を浅耕姿勢に取付けた際に、整地体の左右方向の両端部はリヤカバーの左右方向の両端部より略均等に外側に張り出すように構成することを特徴とする。
【発明の効果】
【０００６】
本発明のロータリ耕耘装置によれば、整地体をリヤカバーの下端部に標準姿勢又は浅耕姿勢に取付ける際に、リヤカバーの左右の下端部に左右方向に間隔を隔てて設ける第１の係止部、或いは第２の係止部の何れかに整地体の係合部を装着すればよいので、整地体の係合部が他の係止部と干渉することがなく、整地体の姿勢切換え作業を迅速に行うことができる。
また、サイドドライブ式のロータリ耕耘装置は左右方向の一方にチェンケースを設けるものであるため、標準耕耘又はそれより深く耕耘を行うと、チェーンケースが土中に入って耕耘跡に溝を形成する。しかし、整地体を標準姿勢に取付けた際には、整地体のチェーンケース側の端部はリヤカバーの同側の端部より外側に位置して、整地体がこの溝を埋め戻すものであるから、整地体に殊更、延長整地部を設ける必要がなくなり、ロータリ耕耘装置のコストを抑制することができる。
さらに、代掻き作業のように浅く耕耘する場合は、チェーンケースが土中に入ることはなく耕耘跡に溝が形成されることはない。従って、整地体を浅耕姿勢に取付けた際には整地体によって溝を埋め戻す必要がないから、整地体の左右方向の両端部をリヤカバーの左右方向の両端部より略均等に外側に張り出すようにすることで、隣接耕跡との段差を整地体によって無くすことができる。
【図面の簡単な説明】
【０００７】
【図１】整地体を標準姿勢で装着した状態を示すロータリ耕耘装置の側面図である。
【図２】整地体を標準姿勢で装着した状態を示すロータリ耕耘装置の背面図である。
【図３】整地体を浅耕姿勢で装着した状態を示すロータリ耕耘装置の側面図である。
【図４】整地体を浅耕姿勢で装着した状態を示すロータリ耕耘装置の背面図である。
【発明を実施するための形態】
【０００８】
以下、本発明の実施の形態を図面に基づいて説明する。
図１において、ロータリ耕耘装置１は、トラクタ２の後部にトップリンク３と左右のロワーリンク４で構成する周知の三点リンク機構によって連結され、左右のリフトアーム５が上下回動することによって、ロータリ耕耘装置１はトラクタ２に対して昇降して耕耘深さが変更される。
【０００９】
図２に示すように、ロータリ耕耘装置１はサイドドライブ式とされ、前部中央に設けたギヤケース６とギヤケース６から左右方向に突設されたパイプフレーム７，７により機枠が構成される。また、左側のパイプフレーム７の端部にはチェーンケース８が連結されていると共に、右側のパイプフレーム７の端部にはサイドプレート９が下方に向かって延設されている。チェーンケース８の下端部とサイドプレート９の下端部との間には図示しない耕耘筒が回転自在に軸支され、耕耘筒には多数の耕耘爪１０が装着されている。そして、トラクタ２のＰＴＯ軸１１からヨークジョイントを介して伝達された動力はギヤケース６内に伝動され、左側のパイプフレーム７内に軸支した伝動軸及びチェーンケース８内のチェーンを介して耕耘筒が回転駆動される。
【００１０】
また、耕耘爪１０は、その回転軌跡に沿う円弧状のメインカバー１２によって上方が覆われ、側方がメインカバー１２の側板によって覆われている。また、メインカバー１２の後端にはリヤカバー１３が支点軸１４を介して回動自在に連結してあり、リヤカバー１３は耕耘爪１０の後方を覆うものとなっている。さらに、メインカバー１２とリヤカバー１３との間には吊りロッド１５が介装されていて、吊りロッド１５はリヤカバー１３の下降側の限界を設定し、リヤカバー１３の耕耘爪１０との接当を阻止する。なお、１６は尾輪やその他の作業機を取り付けるツールバーである。
【００１１】
次に、リヤカバー１３の下端部に取り付ける整地体１７の取付構造について説明する。
図２及び図４に示すようにリヤカバー１３の整地面となる下面と反対側の上面の左右２箇所には、前後方向の補強フレーム１３ａ，１３ａが溶接されている。また、補強フレーム１３ａ，１３ａの下方側には吊りロッド１５の下部側を取付けるコ字状になしたブラケット１３ｂ，１３ｂが溶接されている。そして、ブラケット１３ｂ，１３ｂの左右の側板の内、左側の側板には第１のガイドピン１８とロックピン１９とが左側に向けて突設されていて、整地体１７の第１の係止部Ａを構成している。同様にブラケット１３ｂ，１３ｂの左右の側板の内、右側の側板には第２のガイドピン２０とロックピン２１とが右側に向けて突設されていて、整地体１７の第２の係止部Ｂを構成している。
【００１２】
一方、整地体１７は下方に向けて多少湾曲して耕耘土を均平・整地する下面とフラットな上面とを有する中空の本体を備え、整地体１７の左右方向の端部寄りの上面にはそれぞれ適宜間隔をおいて配設した２枚の装着プレート２２，２２が固着されている。また、２枚の装着プレート２２，２２の間にはフック２３が支点ピン２４を中心に回動自在に支持されており、フック２３は装着プレート２２とフック２３との間に張設したスプリング２５によって回動方向の一方側に向けて付勢されていて、装着プレート２２とフック２３は整地体１７の係合部Ｃを構成している。
【００１３】
さらに、整地体１７の係合部Ｃについて詳細に説明すると、前述した２枚の装着プレート２２，２２は共に同形状とされ、第１又は第２のガイドピン１８，２０とロックピン１９，２１がそれぞれ嵌るガイド溝２２ａとロック溝２２ｂを前部側に備える。また、後部側には指を通すことができる開口２２ｃが設けてあり、開口２２ｃの上部側は整地体１７を持ち上げる把持部２２ｄとなっている。さらに、フック２３は第１又は第２のロックピン１９，２１が嵌る鉤部２３ａを前部側に備え、支点ピン２４より後部側にはフック２３を操作するレバー部２３ｂが設けてある。
【００１４】
そして、以上のように構成するロータリ耕耘装置の作業形態について説明すると、ロータリ耕耘装置１は、標準耕耘より深く耕耘する場合はリヤカバー１３のみによって十分に均平・整地作用をなすことができるので、整地体１７をリヤカバー１３から外して耕耘作業を行う。また、深く耕耘する場合であっても整地作用をより期待する場合や標準耕耘する場合は、整地体１７を標準姿勢としてリヤカバー１３に装着して耕耘作業を行う。さらに、代掻き作業等のように表層を浅く耕耘する場合は整地体１７を浅耕姿勢としてリヤカバー１３に装着して耕耘作業を行う。
【００１５】
次に、前述した整地体１７を標準姿勢、或いは浅耕姿勢としてリヤカバー１３に装着する手順を説明する。先ず整地体１７を標準姿勢に取り付ける場合は、図１及び図２に示すように整地体１７の装着プレート２２に形成した開口２２ｃに左右の指を入れて、フック２３のレバー部２３ｂに指を掛けながら把持部２２ｄを持って整地体１７を持ち上げる。そして、持ち上げた整地体１７をリヤカバー１３の下端部まで移動させ、整地体１７の係合部Ｃをリヤカバー１３の第１の係止部Ａに係合させて、整地体１７を標準姿勢に取り付けることができる。
即ち、この場合、第１のガイドピン１８とロックピン１９に装着プレート２２のガイド溝２２ａとロック溝２２ｂがそれぞれ嵌り、フック２３の鉤部２３ａはレバー部２３ｂから指を離すことによりスプリング２５によってロックピン１９と係合し、整地体１７は前後動及び上下動不能となり、さらに、ガイドピン１８とロックピン１９の先端部には大径な頭部が形成されているから、装着プレート２２はガイドピン１８とロックピン１９の頭部とブラケット１３ｂの側板に挟まれて左右動不能となる。
【００１６】
また、整地体１７を浅耕姿勢に取り付ける場合は、図３及び図４に示すように整地体１７の装着プレート２２に形成した開口２２ｃに左右の指を入れて、フック２３のレバー部２３ｂに指を掛けながら把持部２２ｄを持って整地体１７を持ち上げる。そして、持ち上げた整地体１２をリヤカバー１３の下端部まで移動させ、整地体１７の係合部Ｃをリヤカバー１３の第２の係止部Ｂに係合させて、整地体１７を浅耕姿勢に取り付けることができる。なお、第２のガイドピン２０とロックピン２１の先端部にも係合部Ｃの左右動を規制する大径な頭部が形成されている。
そして、整地体１７を標準姿勢に取り付けて標準的な深さの耕耘を行う場合、又はそれより深く耕耘を行う場合は、整地体１７が接地面に略平行、乃至やや前傾姿勢となって耕耘土の整地が行われる。また、整地体１７を浅耕姿勢に取り付けて代掻き又は浅耕作業を行う場合は、整地体１７が起立した後傾姿勢となってリヤカバー１３で整地されない耕耘土の整地が整地体１７によって行われる。
【００１７】
さらに、整地体１７をリヤカバー１３に標準姿勢、又は浅耕姿勢に取り付ける際に、リヤカバー１３の第１の係止部Ａと第２の係止部Ｂは、リヤカバー１３の下端部に左右方向に間隔を隔てて設けられているから、整地体１７の係合部Ｃを第１又は第２の係止部Ａ，Ｂに装着する時に他方の第２又は第１の係止部Ｂ，Ａが干渉することがなく、整地体１７の姿勢切換え作業を迅速に行うことができる。
【００１８】
そして、長尺な整地体１７の左右幅はリヤカバー１３の左右幅より幾分長く形成されていて、整地体１７を標準姿勢で取り付けた際には、第１の係止部Ａがチェーンケース８が存在する左側に位置することから、整地体１７は全体に左側に偏倚して整地体１７の左端がチェーンケース８の外側まで張り出し、また、整地体１７の右端はリヤカバー１３の右端と略同じ位置になる。そのため、標準耕耘又はそれより深く耕耘を行うと、チェーンケース８が土中に入って耕耘跡に溝を形成するが、この溝が左側に偏倚した整地体１７によって埋め戻され、耕耘跡に溝が残らない奇麗な仕上がりとなる。
【００１９】
なお、整地体１７を浅耕姿勢で取り付けた際には、第２の係止部Ｂがサイドプレート９が存在する右側に位置することから、整地体１７は全体に右側に偏倚して整地体１７の左右端がリヤカバー１３の左右端から略均等に外側に張り出す。従って、浅耕作業の場合にはチェーンケース８による溝は形成されないから、整地体１７の左右方向の両端部をリヤカバー１３の左右方向の両端部より略均等に外側に張り出すようにすることで、隣接耕跡との段差を整地体１７によって無くすことができる。
【符号の説明】
【００２０】
１０  耕耘爪
１３  リヤカバー
１７  整地体
１８  ガイドピン（第１の係止部）
１９  ロックピン（第１の係止部）
２０  ガイドピン（第２の係止部）
２１  ロックピン（第２の係止部）
２２  装着プレート（係合部）
２３  フック（係合部）
【図１】
0005870360.tif 000002
【図２】
0005870360.tif 000003
【図３】
0005870360.tif 000004
【図４】
0005870360.tif 000005